(57)【要約】【課題】  光透過性の板を多層設けたときにも、装飾効果を十分に引き立てることができ、かつ装飾部分が他の箇所より強く発光して際立つ装飾体であって、その装飾部分が光透過性板ごとに特定の色に発光する多色発光装飾体を提供することを課題とする。【解決手段】  裁断して装飾図形を形成した光透過性板４を複数枚積層してなる装飾プレート２と、前記プレート２の端縁部の少なくとも一部に設置された光源３とを有し、光源３と対向する箇所を除く前記板の裁断面の少なくとも一部が粗面として形成され、前記光源３から発光された光が、光源と対向する前記板の端面５から入光することにより、前記粗面に形成した箇所が他の箇所より強く、かつ前記板４ごとに特定の色に発光することを特徴とする、多色発光装飾体。【選択図】  図２
2005074639.tif 000002
【特許請求の範囲】
【請求項１】
裁断して装飾図形を形成した光透過性板を複数枚積層してなる装飾プレートと、前記プレートの端縁部の少なくとも一部に設置された光源とを有し、光源と対向する箇所を除く前記板の裁断面の少なくとも一部が粗面として形成され、前記光源から発光された光が、光源と対向する前記板の端面から入光することにより、前記粗面に形成した箇所が他の箇所より強く、かつ前記板ごとに特定の色に発光することを特徴とする、多色発光装飾体。
【請求項２】
光透過性板を複数枚積層してなる装飾プレートと、前記プレートの端縁部の少なくとも一部に設置された光源とを有し、
前記板には、該板を貫通する線による線画が施され、前記線による前記板の切断壁の少なくとも一部は、粗面として形成されており、
前記光源から発光された光が、光源と対向する前記板の端面から入光することにより、前記粗面が前記板ごとに特定の色に発光し、前記プレートに線画による装飾図形が発光表示されることを特徴とする多色発光装飾体。
【請求項３】
前記装飾プレートを有色透明の光透過性板で構成するとともに、各光透過性板の色彩を異なるものとすることにより、前記板ごとに特定の色に発光させることを特徴とする、請求項１または２に記載の多色発光装飾体。
【請求項４】
前記板に入光する光の色を、板により異なる色とすることにより、前記板ごとに特定の色に発光させることを特徴とする、請求項１〜３のいずれかに記載の多色発光装飾体。
【請求項５】
前記装飾プレートの表面に光拡散防止層を設けることを特徴とする、請求項１〜４のいずれかに記載の多色発光装飾体。
【発明の詳細な説明】
【技術分野】
【０００１】
本発明は、看板やディスプレーなどとして用いることができる多色発光装飾体に関する。
【背景技術】
【０００２】
従来より、看板やディスプレー等に用いることができる装飾体として、文字や模様等の装飾を単層の光透過性板の表面に施し、板の端面から光を照射して、板自体および板の表面に施した装飾を発光させる装飾体が用いられている。また、特許文献１において、集光性蛍光染料を含有するアクリル樹脂層からなる表示部を有する表示板であって、アクリル樹脂層の表面又は背面にカッティングによる表示パターンが形成されてなる表示板、および当該表示板と、太陽電池パネルと、この太陽電池パネルにて得られる電力を蓄える電気二重層コンデンサと、該電気二重層コンデンサの蓄電力によって発光する発光ダイオードとを備え、前記表示板が昼間においては外光を吸収して蛍光を発すると共に、夜間においては前記発光ダイオードからの照射光を吸収して蛍光を発するように構成されてなる表示装置が開示されている。
【０００３】
上記表示板においては、アクリル樹脂層の表面又は背面に形成されたカッティングによる表示パターンが高輝度で発光表示され、また当該表示板を用いた上記表示装置においては、視認性及び顕示性に優れた発光表示を昼夜兼行で行うことができる。
【０００４】
【特許文献１】特開２００３−２１６０７８号
【発明の開示】
【発明が解決しようとする課題】
【０００５】
しかし、特許文献１における表示板及びこれを利用した表示装置では、カッティングによる表示パターンは、アクリル樹脂層の表面又は背面に形成された溝であるため、デザインによる意外性が小さいという問題があった。また、カッティング部分が、他の箇所よりさらに強く、かつ多色に発光し、表示板に形成した装飾がより引き立つ装飾体が望まれていた。
【０００６】
本発明は、前記の点に鑑み、装飾部分が他の箇所より強く発光して際立つ装飾体であって、装飾部分が光透過性板ごとに特定の色に発光する、デザインの自由度が高い多色発光装飾体を提供することを課題とする。
【課題を解決するための手段】
【０００７】
本発明は、以下の構成を備えることにより、上記課題を解決した。
【０００８】
裁断して装飾図形を形成した光透過性板を複数枚積層してなる装飾プレートと、前記プレートの端縁部の少なくとも一部に設置された光源とを有する多色発光装飾体において、光源と対向する箇所を除く前記板の裁断面の少なくとも一部が粗面として形成され、前記光源から発光された光が、光源と対向する前記板の端面から入光することにより、前記粗面に形成した箇所が他の箇所より強く、かつ前記板ごとに特定の色に発光することを特徴とする。
【０００９】
光透過性板を複数枚積層してなる装飾プレートと、前記プレートの端縁部の少なくとも一部に設置された光源とを有する多色発光装飾体において、前記板には、該板を貫通する線による線画が施され、前記線による前記板の切断壁の少なくとも一部は、粗面として形成されており、前記光源から発光された光が、光源と対向する前記板の端面から入光することにより、前記粗面が前記板ごとに特定の色に発光し、前記プレートに線画による装飾図形が発光表示されることを特徴とする。
【００１０】
前記装飾プレートを有色透明の光透過性板で構成するとともに、各光透過性板の色彩を異なるものとすることにより、前記板ごとに特定の色に発光させることも可能である。
【００１１】
前記板に入光する光の色を、板により異なる色とすることにより、前記板ごとに特定の色に発光させることも可能である。
【００１２】
前記装飾プレートの表面に光拡散防止層を設けることも可能である。
【発明の効果】
【００１３】
本発明によれば、以下の効果を奏することができる。
【００１４】
光透過性板を裁断して装飾図形を形成するとともに、光源と対向する箇所を除く前記板の裁断面の少なくとも一部を粗面として形成することにより、粗面部分の光拡散を他の箇所より大きくすることができる。これによって、光源からの光を、光源と対向する前記板の端面から入光させることにより、前記粗面に形成した箇所を他の箇所より強く発光させることができる。また、前記装飾図形を形成した光透過性板を複数枚積層してなる装飾プレートと、前記プレートの端縁部の少なくとも一部に光源を設置した多色発光装飾体を構成し、前記粗面に形成した箇所を前記板ごとに特定の色に発光させれば、より装飾効果を高めることができる。
【００１５】
光透過性板に、該板を貫通する線からなる線画を施こし、前記線による前記板の切断壁の少なくとも一部を、粗面として形成することにより、前記と同様に粗面部分の光拡散を他の箇所より大きくすることができる。また、前記と同様に光源からの光を、光源と対向する前記板の端面から入光させることにより、前記粗面を他より強く発光させることができる。そして前記板を複数枚積層し、前記粗面を前記板ごとに特定の色に発光させることにより、前記プレートに複数色からなる装飾図形を発光表示することができる。さらに貫通線により装飾図形を描くことによって、裁断による場合よりも細かい装飾図形の作成が可能となるため、デザインの自由度の高い多色発光装飾体を提供することができる。
【００１６】
前記装飾プレートを有色透明の光透過性板で構成するとともに、各光透過性板の色彩を異なるものとすることにより、光源から発光される光が単色であっても、前記粗面を前記板ごとに異なる色に発光させることができる。
【００１７】
前記板に入光する光の色を、板により異なる色とすることにより、前記の各板が同色であっても、板ごとに異なる色に発光させることができる。そのため、多色発光装飾体に含まれる装飾プレートを、光を照射しないときには単一色であるが、光を照射したときには多色に輝くものとすることができ、光を照射したときの意外性を高めることができる。
【００１８】
前記装飾プレートの表面に光拡散防止層を設けることにより、外部からの光で装飾プレートの表面が発光することを防ぐことができ、多色発光装飾体の透明感をより高めることができる。
【発明を実施するための最良の形態】
【００１９】
以下、本発明の一実施形態について添付図面を参照しつつ説明するが、これにより本発明の技術的範囲が限定されるものではない。図１は本発明に係る多色発光装飾体の一実施例の正面図、図２は図１に示す多色発光装飾体のＡ−Ａ’拡大断面図である。図に示すように、多色発光装飾体１は、光透過性板４（紫・赤・黄色の各色の蛍光アクリル板）を３枚積層してなる装飾プレート２と、前記プレート２の下端縁部に設置された光源３とを有している。前記板４はそれぞれ、外形が楕円形状となるように、板の内側に貫通孔による装飾図形７（アルファベット文字）が形成されるように裁断されている。装飾図形７は、各板ごとに若干異なる位置に構成され、板を積層したときに文字が完全に重ならずに、ずれるようにデザインされている。光源３と対向する端面５を除く前記板の裁断面（光源と対向する端面を除く前記板の外周面および貫通孔の周壁）はすべて粗面として形成されている。本実施例では、光源３は冷陰極蛍光ランプであり、収納部６に収納されている。本実施例では、収納部６は四角柱状の中空体として構成されている。
【００２０】
本実施例では、二枚のステンレス板８・９で装飾プレート２を挟み、ステンレス板と装飾プレートを貫通する孔１０を四箇所に設け、正面からボルト１１を通し背面からナット１２で締め付けて、装飾プレート２とステンレス板８・９を固定している。図２のＡ−Ａ’拡大断面図に示すように、装飾プレートの背面に位置するステンレス板８は、上端部と下端部は装飾プレートに対して平行に、中間部は該プレートに対して垂直方向にコの字形に突出するように形成されており、かつコの字部分の上辺は装飾プレートの厚みの分だけ下辺より短くなるように形成されている。装飾プレート２の正面に位置するステンレス板９は、その上方部１４が装飾プレートと平行になるように配置されているため、上記コの字形部分の開口部を塞いで四角柱状の収納部６を形成するとともに、収納部６の下方で背面側のステンレス板８と重なる。二枚のステンレス板が重なった部分に、貫通孔１３が２箇所設けられ、上記と同様にボルト１１とナット１２で固定されている。正面側のステンレス板９は、くの字形に曲げられ、その下方部１５が底辺を形成し、全体として装飾プレートを傾斜して保持するスタンドの役目を果たしている。図示しないが、収納部６に冷陰極蛍光ランプ（光源３）とともにインバーター回路基盤を入れて、クッション性強力両面テープで固定し、くの字形の側面にスイッチ、ジャックを配置する。ジャックから配線し、コンセット側にトランスを設ける。スイッチをＯＮにすることにより、光源３から端面５に光が照射される。
【００２１】
前記装飾プレート２を構成する光透過性板４は、端面５が磨き仕上げされ、鏡面となっている。これにより、光源３から端面５に照射された光は、拡散することなく光透過性板４を通過する。光源３と対向する箇所を除く前記板の裁断面はすべて粗面として形成されているため、端面５から入光した光が抜け出るときに光拡散をおこし、粗面部が強く発光する。これにより、端面５を除く前記板の外周と貫通孔による装飾図形７が引き立つ。装飾プレートを構成する３枚の光透過性板４は、それぞれ異なる色（紫・赤・黄色）に着色されているため、光源３から発光される光が単色光であっても、装飾プレートは多色に発光する。
【００２２】
本実施例では、光透過性板４として、紫色、赤色、黄色の各色の蛍光アクリル板を用いている。従って、粗面部分が前記の色に強く輝くほか、アクリル板自体も当該色を薄く帯びている。しかし、本実施例では、前記の三枚のアクリル板を積層して装飾プレートを構成した際に、装飾プレート２が無色透明と見えるように、アクリル板の色及び組み合わせを決定している。従って、装飾プレート２の正面及び背面は無色透明に見え、裁断面は各アクリル板の色に見える。これによって、裁断面のみが色を有する多色発光装飾体を構成することができ、粗面が各色に発光した際、装飾図形の色彩が一層引き立つ。
【００２３】
前記の無色透明に見える装飾プレートを製造するためには、青紫系統の光透過性板・赤系統の光透過性板・緑系統の光透過性板（色光の三原色）の光透過性板を積層して（積層の順序は自由）装飾プレートを構成すればよい。装飾プレートの背面から外光が入ると、その光が各板を通過する際、緑、赤、青紫（順不同）と変化していき、装飾プレートの正面では無色に見える。同様に、装飾プレートの正面から入った外光も変化していき、装飾プレートの背面も無色に見える。また、同時に光の明度が失われる。装飾プレートの無色透明感は、積層する各光透過性板の色相を考慮することにより、調節することができる。また、前記各板の色は、製造の際に配合物質の調整を行うことにより、適切な色に調節することができる。さらに、配合物質を少なくすれば、明度を高くすることが可能である。このバランスを考慮すると無色と明るさが増し、より透明感を増すことができる。
【００２４】
本実施例の装飾プレートにおいては、ジョイント部分１６を設けて、文字の線で囲われた部分１７を残してアクリル板（一番背面のアクリル板のみ）を裁断し、これによってOやｇの内側のライン１８を表している。図３に示すように、別のパーツをはめ込むことによって、内側のライン１８を表すことも可能である。図３中のAは正面図、BはA-A'断面図である。図３では、アルファベットのOを例として表している。文字の外側のライン１９に沿って断面が斜面になるように本体２０（光透過性板）を裁断し、ここに別パーツ２１を嵌め込む。別パーツ２１は、その外周の断面が、２つの斜面ｂ・ｂ’から構成され逆V字形となっている。そして別パーツの中央部にはOの内側のライン１８を表すための貫通孔２２が設けられている。斜面ｂ’、及びｂ’と接する本体の斜面部分ａ’は鏡面に、斜面ｂ、別パーツ２１と接していない本体の斜面部分ａ、及び孔２２の切断面ｃは粗面（波線で示す）となっている。これにより、端面から入光した光は、本体２０と別パーツ２１が接しているａ’・ｂ’では光拡散を起こさず、Oの外側のライン１９を表すａ・ｂ、及び内側のライン１８を表すｃでは光拡散を起こして、文字のラインを発光させる。これによって、Oの文字を表すことができる。この方法を用いれば、ジョイント部分を設けずに内側のラインを表すことができるため、より完全に文字の形を表すことができる。また、ａ，ｂのいずれか一方のみを粗面としてもよい。その他、図４に示すように、別パーツ２１と粗面を形成しても、内側及び外側のラインを表すことができる。図４において、２１が別パーツ、波線で表した部分が粗面である。ｃにより内側のラインが、ｄにより外側のラインが表される。
【００２５】
この他にも、外側のラインに沿って裁断した光透過性板と内側のラインに沿って裁断した光透過性板を積層することによって、またはカッティングシートをはることによっても、内側のラインを表すことができる。
【００２６】
図１に示す実施例のように、光源と対向する箇所を除く裁断面の全てを粗面に形成してもよいが、一部のみを粗面とし、他を鏡面としても良い。部分的に鏡面とすれば、その部分が光散乱を防ぎ、光を通すため、該装飾体をアート照明として用いることもできる。
【００２７】
また、図１に示す実施例においては、外形を楕円形状に、その内側に貫通孔による装飾図形（図１の実施例においては、アルファベット文字）が形成されるように、光透過性板を裁断したが、図５に示すように、光透過性板４の外形そのものが装飾図形（本実施例においてはアルファベット文字）を表すように裁断することも可能である。図５に示す光透過性板４においては、裁断面のうち、支持体２３の外周面を鏡面に、アルファベット文字２４の外周面を粗面として形成している。そのため、支持体の下端面２５から光源による光を照射すれば、光は支持体２３を通過し、アルファベット文字２４の外周面が強く発光して、アルファベット文字が際立つ。図５に示す光透過性板を用いて、本発明の多色発光装飾体を形成するにあたっては、アルファベット文字２４が少しづつずれるように、前記板を重ねて装飾プレートを構成すれば、より装飾効果の高い多色発光装飾体を提供することができる。
【００２８】
装飾図形には絵の他にも、文字やロゴなど図形全般が含まれる。また、外形自体が装飾図形を形成するように光透過性板を裁断してもよく、あるいは内側に貫通孔による装飾図形が形成されるように光透過性板を裁断してもよく、さらにこれらを組み合わせて装飾図形を形成することも可能である。例えば図１においては、裁断による装飾図形として、楕円形状の外形と貫通孔によるアルファベット文字を形成したが、図５のように、光透過性板自体の外形を文字などの形に裁断することも可能である。図３、４に示すように、別パーツを嵌め込んで、装飾図形を構成してもよい。また、強調したい箇所の裁断面を、光透過性板の板面に対して垂直な面ではなく、傾斜面となるように形成すれば、粗面の面積を広くできるため、発光面が広くなり、より立体的に発光ラインを強調することができる。具体的には、図６に示す切断角度θが、基準線（光透過性板４に対して垂直の線）に対し、−４５度〜＋４５度となることが好ましいが、見る角度や強調の度合いなどを考慮し、適宜決定することが可能である。
【００２９】
図７において、本発明の多色発光装飾体に用いることができる装飾プレート２と、該プレートを構成する光透過性板４の別の実施例を示す。図中、Ａは装飾プレート、Ｂ・Ｃ・Ｄは該プレートを構成する光透過性板である。各光透過性板４には、該板を貫通する線２６による線画が施されており、かつ、前記線２６による前記板の切断壁２７は、粗面として形成されている。図中のＥは貫通線２６と切断壁２７を示す拡大断面図である。
【００３０】
各光透過性板４は蛍光アクリル板であり、Ｂは青色、Ｃは赤色、Ｄは緑色である。図１に示す実施例と同様に、Ｂ・Ｃ・Ｄを積層して装飾プレートＡを構成したとき、装飾プレートＡの正面及び背面が無色透明に見えるように、各板の色調が調節されている。各板の切断壁２７は、粗面として形成されているため、光拡散が大きい。そのため、図１に示す実施例と同様にして、光源からの光を、光源と対向する前記板の端面から入光させれば、前記粗面が強く発光する。各アクリル板の色は異なるため、光源から照射される光が単色であっても、前記粗面はそれぞれ板ごとに、青、赤、緑色に発光する。これにより、Ｂ・Ｃ・Ｄを積層してなる装飾プレートＡに複数色から構成される装飾図形が発光表示される。また、前記と同様に、粗面の面積が広くなれば、発光面が広くなり、発光ラインが太く見える。そのため、切断壁２７を、光透過性板４の板面に対して垂直ではなく、傾斜壁として形成することにより、強調したい線を太く形成することができる。前記と同様、切断角度θが、−４５度〜＋４５度となることが好ましいが、見る角度や強調の度合いなどを考慮し、適宜決定することができる。
【００３１】
なお、本実施例の装飾プレートでは、簡易な装飾図形を用いて説明を行ったが、貫通線により装飾図形を描くことにより、裁断による場合よりも細かい装飾図形を表すことも可能である。そのため、図８に示すような複雑な装飾図形を構成することも可能であり、デザインの自由度の高い多色発光装飾体を提供することができる。線画による装飾図形には、前記と同様、絵の他にも、文字やロゴなど図形全般が含まれる。
【００３２】
図１、図７に示す実施例のように、異なる色に着色された光透過性板を用いる他に、光源と対向する端面（入光面）に異なる色の色付きフィルムを張ることによっても、各光透過性板を異なる色に発光させることができる。また、異なる色の光を当てることによっても、各光透過性板を異なる色に発光させることができる。例えば図９に示すように、収納部６を、反射仕切り部材２８によって区分けし、複数の光源３を収納して、各光透過性板４の端面５ごとに異なる色の光が入光するようにしてもよい。反射仕切り部材２８があるため、各光源３の光は設置された板にのみ入光し、上記と同じように粗面部分（波線で示す箇所）をそれぞれの色に輝かせる。図に示すように光透過性板４を階段状に積層すれば、反射仕切り部材２８を設けやすい。また、光源３付近の光透過性板４において屈折光が生じ、この屈折光が他の光透過性板に入光して、装飾プレート２の光源付近の部分で、各色の光が混じり合うことを防ぐため、光源付近の光透過性板に、反射仕切り層２９を設けてもよい。反射仕切り層２９は、前記板４の光源側の端部から、前記板の厚みの２倍以上の長さで設けることが好ましい。反射仕切り層２９としては、アルミニウム等の金属箔、アルミニウムを蒸着した薄層合成樹脂シートなどを用いることができる。反射仕切り層の厚みにより、光透過性板同士の間に隙間が生じないことが好ましいため、反射仕切り層２９は箔状の薄いものがよい。前記反射仕切り部材２８と反射仕切り層２９を一体形成してもよいが、反射仕切り層２９に厚みができる場合には、該層を設ける部分の光透過性板４の厚みを、該層の厚みに合わせて他より薄く形成し、該層を設けない部分の光透過性板の間に、隙間が生じないようにすることが好ましい。この層を設けることにより、各板の端面５から入光した光は、混じり合うことなく各板を通過する。
【００３３】
また、端面５の形状を調節することによって屈折光を調節することも可能である。端面５の形状と前記の反射仕切り層２９とを組み合わせて屈折光を防いでもよい。前記反射仕切り層２９の長さ、及び端面５の形状は、光源の種類、光源面積、光源と光透過性板の距離・位置関係、光源の照射面と光透過性板の厚みの関係などを考慮し、屈折光を防ぐために好適な構成にすることができる。端面５の形状は、凹レンズ状、凸レンズ状、斜めの凹または凸レンズ状、板面に対し垂直面、または斜面等に調節可能である。端面はいずれの場合も磨き仕上げ（鏡面仕上げ）される。
【００３４】
図９に示すように、装飾プレート２の表面に光拡散防止層３０を設けることにより、外部からの光で装飾プレート２が発光することを防ぐことができ、装飾プレートの透明感が増す。この光拡散防止層としては、例えばガラス、耐擦傷性アクリル、チタンコートされた無色のアクリル板等を用いることができる。
【００３５】
装飾プレートの端縁部の一部に光源を設置した場合には、光源を設置した端面と反対側の端面に反射材を設置してもよい。この場合には、入光した光が反対側の端面から抜け出ることなく、反射材により反射する。そのため、その反射光によっても粗面で光拡散が起こり、粗面がより強く発光する。反射材としては、例えば、鏡面に形成したステン板やアルミ板等を用いることができる。
【００３６】
本発明の光透過性板は、光を透過する透明な板材であればよく、例えばガラス、熱可塑性樹脂、熱硬化性樹脂などからなる透明板を挙げることができる。扱いが容易であるため、透明合成樹脂板が好ましく、アクリル板が特に好ましい。ここでいう透明には、無色透明の他、有色透明も含まれる。また、光源から入光した光が粗面に達し、光拡散を生じるものであればよいため、このようなものであれば、半透明の板材であってもよい。有色透明の光透過性板としては、例えば集光性蛍光染料を含有するアクリル板などを挙げることができる。また、光透過性板は、中に空洞部を有し、その空洞部に水あるいは油を封入させてなるものであってもよい。
【００３７】
本発明の光源としては、蛍光灯、発光ダイオード等の低温の照明器具を用いることができる。多色発光ダイオードを用いれば、装飾プレートの発光色を適宜変更することができるため、より多様な表現が可能になる。すなわち、装飾プレートを構成する光透過性板が無色であっても、多色発光ダイオードを用いて、多彩な色に輝く装飾体を提供することができる。光源は複数であっても良く、また、各板ごとに異なる色の光源を用いてもよい。例えば図９に示すように、装飾プレートの端縁部に設置される光源は、装飾プレートを構成する各板ごとに配置される構成をとってもよい。光源は公知の方法で装飾プレートの端縁部に設置することができる。光源は、前記プレートの端縁部の任意の場所に設置することができ、また複数設置しても良い。例えば多色発光装飾体が、長方形状の装飾プレートを有する場合、光源はどの辺に設けられても良く、また全ての辺に設けられても良い。
【００３８】
光源としては、常時同じ照度で光を照射するものの他、点滅・スロープ点滅するものなどを用いることもでき、またこれらを組み合わせて用いても良い。色別に点滅させて、装飾効果を高めることもできる。また、光源から部分的に照射し、文字や絵を走らせることも可能である。
【００３９】
光源を収納する収納部を設ける場合、収納部を形成する材質は、光の反射性に優れている、透光性のないものが好ましく、例えばステンレス材、メッキ処理した樹脂材等を挙げることができるが、これに限られない。光透過性板ごとに異なる色の光を照射するときには、反射を防ぐ仕切り部材などで光源を色ごとに区切るなど、光の色が混ざらないような構成をとることが好ましい。
【００４０】
多色発光装飾体の形状は、実施例に示したような、板状の装飾プレートを保持するスタンド形状以外にも、様々な形に形成されることができる。また、多色発光装飾体に含まれる装飾プレートは複数であっても良い。例えば、複数の装飾プレートを組み合わせて立方体や三角錐等の形状とし、これを含む多色発光装飾体とすることも可能である。また、様々な形に形成した装飾プレートを用いることもできる。
【００４１】
本発明の多色発光装飾体における多色とは、２以上の色調が異なる色が存在することをいう。従って、多色発光装飾体に含まれる光透過性板全てが異なる色調に発光する必要はない。例えば３枚の光透過性板を含む多色発光装飾体であれば、３枚の板がそれぞれ異なる色に発光してもよいが、３枚の光透過性板のうち２枚が同色に、１枚が別の色に発光してもよい。色には、有彩色のほかに白色も含まれる。例えば無色透明の板に白色光を照射し、粗面を白色に発光させても良い。
【００４２】
装飾プレートの損傷を防ぐために、装飾プレートの表面に透明の保護層を設けても良い。保護層としては、例えばガラスや耐擦傷性アクリル等からなるものを用いることができ、例えば、装飾プレートの両面に組み付けすることによって装飾プレート上に形成することができる。ガラス、耐擦傷性アクリル等を用いれば、装飾プレートの保護とともに、前述した光拡散防止層の役割も果たすことができる。
【００４３】
本発明の多色発光装飾体は、看板、ディスプレー、表札、オブジェ、ショーケース、照明器具、玩具、写真立て、非常口灯など、様々な目的で使用することができる。
【図面の簡単な説明】
【００４４】
【図１】本発明に係る多色発光装飾体の一実施例の正面図である。
【図２】図１に示す多色発光装飾体のＡ−Ａ’拡大断面図である。
【図３】本体と別パーツの正面図（Ａ）及びＡ−Ａ’断面図（Ｂ）である。
【図４】本体と別パーツの他の構成態様を示す断面図である。
【図５】裁断により装飾図形を形成した光透過性板の一実施例を示す図である。
【図６】切断角度を説明する図である。
【図７】本発明に係る装飾プレートと該プレートを構成する光透過性板の別の実施例を示す正面図（Ａは装飾プレート、Ｂ・Ｃ・Ｄは光透過性板）、及び貫通線と切断壁の拡大断面図（Ｅ）である。
【図８】貫通線により形成された装飾図形の一実施例を示す図である。
【図９】各光透過性板ごとに光源を設置する場合の一実施例を示す図である。
【符号の説明】
【００４５】
１    多色発光装飾体
２    装飾プレート
３    光源
４    光透過性板
５    光源と対向する光透過性板の端面
６    収納部
７    貫通孔による装飾図形
８    ステンレス板（装飾プレートの背面側）
９    ステンレス板（装飾プレートの正面側）
１０  貫通孔（ステンレス板と装飾プレートを貫通する孔）
１１  ボルト
１２  ナット
１３  貫通孔（ステンレス板を貫通する孔）
１４  ステンレス板９の上方部
１５  ステンレス板９の下方部
１６  ジョイント部分
１７  文字線で囲われた部分
１８  内側のライン
１９  外側のライン
２０  本体
２１  別パーツ
２２  別パーツの貫通孔
２３  支持体
２４  アルファベット文字
２５  支持体の下端面
２６  貫通線
２７  切断壁
２８  反射仕切り部材
２９  反射仕切り層
３０  光拡散防止層
【図１】
2005074639.tif 000003
【図２】
2005074639.tif 000004
【図３】
2005074639.tif 000005
【図４】
2005074639.tif 000006
【図５】
2005074639.tif 000007
【図６】
2005074639.tif 000008
【図７】
2005074639.tif 000009
【図８】
2005074639.tif 000010
【図９】
2005074639.tif 000011